(57)【要約】【課題】浮体構造物施工する際に時間と費用の無駄となる工程を削減することができる浮体構造物施工方法および浮体構造物を提供することができるようにする。【解決手段】貯溜部１３を有する基礎１４を施工するとともに、貯溜部１３内に水に浮かせる浮体構造物１０を施工する浮体構造物施工方法において、貯溜部１３を有する基礎１４を施工して、貯溜部１３内で浮体基礎１２を施工し、貯溜部１３内に水を充填して浮体基礎１２を浮かし、浮いた浮体基礎１２に上部構造物１１を施工することを特徴とする。【選択図】　図１
2004044117.tif 000002
【特許請求の範囲】
【請求項１】
貯溜部を有する基礎を施工するとともに、前記貯溜部内に液体に浮かせる浮体構造物を施工する浮体構造物施工方法において、
前記貯溜部を有する前記基礎を施工して、前記貯溜部内で浮体基礎を施工し、前記貯溜部内に液体を充填して前記浮体基礎を浮かし、浮いた前記浮体基礎に上部構造物を施工することを特徴とする浮体構造物施工方法。
【請求項２】
貯溜部を有する基礎を施工するとともに、前記貯溜部内に液体に浮かせる浮体構造物を施工する浮体構造物施工方法において、
前記貯溜部を有する前記基礎を施工して、前記貯溜部内に液体を充填し、複数の浮体基礎を前記貯溜部内に浮かべて、前記浮体基礎を結合して、結合した前記浮体基礎に上部構造物を施工することを特徴とする浮体構造物施工方法。
【請求項３】
請求項２記載の浮体構造物施工方法において、
前記浮体基礎には、予め、連結用突起と連結用凹みとが設けられ、
前記第浮体基礎は、前記連結用突起と前記連結用凹みとを係合させて、結合させることを特徴とする浮体構造物施工方法。
【請求項４】
請求項３記載の浮体構造物施工方法において、
前記連結用突起と前記連結用凹みとは、予め、前記浮体基礎の下部に設けられ、
前記浮体基礎の結合時に、前記連結用突起側を沈め、前記連結用突起と前記連結用凹みとの位置を合わせ、前記連結用突起側を浮上させて結合することを特徴とする浮体構造物施工方法。
【請求項５】
貯溜部を有する基礎と、液体を充填された前記貯溜部内に浮かぶ浮体構造物を備えた構造体において、
前記浮体構造体は、複数の浮体基礎を備え、
複数の前記浮体基礎は、該浮体基礎の下部に結合用突起と結合用凹みが設けられ、前記結合用突起と前記結合用凹みとが係合されることで結合され、
結合された複数の前記浮体基礎に、上部構造物が設けられていることを特徴とする浮体構造物を備えた構造体。
【発明の詳細な説明】
【０００１】
【発明の属する技術分野】
本発明は、貯溜部内で液体に浮かせる浮体構造物の施工方法および浮体構造物を備えた構造体に関する。
【０００２】
【従来の技術】
従来、浮体構造物を施工する際には、まず、浮体構造物を浮かべるプールである貯溜部を施工して、その貯溜部の内部で浮体構造物を施工・完成させ、貯溜部内に水を充填して、浮体構造物を水に浮かせていた。
【０００３】
【発明が解決しようとする課題】
ところで、上記の浮体構造物の施工方法では、浮体構造物を貯溜部内で施工・完成させていたので、貯溜部の基礎には、浮体構造物の荷重を支えるために十分な数の杭を打ち、さらに必要であれば、地盤を改良しなければならなかった。
【０００４】
しかし、浮体構造物が完成し、水に浮かせた後では、基礎にかかるのは水圧のみとなる。水圧は、貯溜部と水との接触面に均等に働くため、基礎に働く力は、浮体構造物の施工時より小さくなる。つまり、浮体構造物の荷重を支えるために行った、杭打ちや地盤改良は、浮体構造物が水に浮いた後では、過剰なものになり、結局、施工にかかった時間と費用が無駄になるという問題があった。
【０００５】
特に、軟弱な地盤を持つ地域に、上記施工方法で浮体構造物を施工する場合には、上記の問題がより顕著に表れる。
【０００６】
この発明は、このような事情を考慮してなされたもので、その目的は、浮体構造物施工する際に時間と費用の無駄となる工程を削減することができる浮体構造物施工方法および浮体構造物を備えた構造体を提供することにある。
【０００７】
【課題を解決するための手段】
本発明の浮体構造物施工方法および浮体構造物を備えた構造体では、上記課題を解決するため、以下の手段を採用した。
請求項１にかかる発明は、前記貯溜部を有する前記基礎を施工するとともに、前記貯溜部内に液体に浮かせる浮体構造物を施工する浮体構造物施工方法において、前記貯溜部を有する前記基礎を施工して、前記貯溜部内で前記浮体基礎を施工し、前記貯溜部内に液体を充填して前記浮体基礎を浮かし、浮いた前記浮体基礎に前記上部構造物を施工することを特徴とする。
【０００８】
この発明にかかる浮体構造物施工方法によれば、まず、前記貯溜部を有する前記基礎を施工するとともに、前記貯溜部内で前記浮体基礎を施工して、次に、液体に浮かせた前記浮体基礎に前記上部構造物を施工するため、前記貯溜部の基礎にかかる荷重が、最大で前記浮体基礎の荷重に抑えることができる。
【０００９】
請求項２にかかる発明は、前記貯溜部を有する前記基礎を施工するとともに、前記貯溜部内に液体に浮かせる浮体構造物を施工する浮体構造物施工方法において、前記貯溜部を有する前記基礎を施工して、前記貯溜部内に液体を充填し、複数の前記浮体基礎を前記貯溜部内に浮かべて、前記浮体基礎を結合して、結合した前記浮体基礎に前記上部構造物を施工することを特徴とする。
【００１０】
この発明にかかる浮体構造物施工方法によれば、まず、前記貯溜部を有する前記基礎を施工して、前記貯溜部に液体を充填した後に、複数の前記浮体基礎を浮かべて結合し、次に、結合した前記浮体基礎に前記上部構造物を施工するため、前記貯溜部の前記基礎にかかる荷重は、前記貯溜部内面に均等にかかる液体の圧力のみに抑えることができる。
【００１１】
請求項３にかかる発明は、請求項２記載の浮体構造物施工方法において、前記浮体基礎には、予め、前記連結用突起と前記連結用凹みとが設けられ、前記第浮体基礎は、前記連結用突起と前記連結用凹みとを係合させて、結合させることを特徴とする。
【００１２】
この発明にかかる浮体構造物施工方法によれば、複数の前記浮体基礎は、前記連結用突起と前記連結用凹みとを係合させて、結合されるため、迅速かつ確実に結合されることができる。
【００１３】
請求項４にかかる発明は、請求項３記載の浮体構造物施工方法において、前記連結用突起と前記連結用凹みとは、予め、前記浮体基礎の下部に設けられ、前記浮体基礎の結合時に、前記連結用突起側を沈め、前記連結用突起と前記連結用凹みとの位置を合わせ、前記連結用突起側を浮上させて結合することを特徴とする。
【００１４】
この発明にかかる浮体構造物施工方法によれば、複数の前記浮体基礎の結合時に、前記連結用突起側を沈め、前記連結用突起と前記連結用凹みとの位置を合わせ、前記連結用突起側を浮上させて結合するため、複数の前記浮体基礎の結合を、迅速かつ確実に行うことができる。
【００１５】
請求項５にかかる発明は、前記貯溜部を有する基礎と、水を充填された前記貯溜部内に浮かぶ浮体構造物を備えた構造体において、前記浮体構造体は、複数の前記浮体基礎を備え、複数の前記浮体基礎は、該浮体基礎の下部に前記結合用突起と前記結合用凹みが設けられ、前記結合用突起と前記結合用凹みとが係合されることで結合され、結合された複数の前記浮体基礎に、前記上部構造物が設けられていることを特徴とする。
【００１６】
この発明にかかる浮体構造物を備えた構造体によれば、複数の前記浮体基礎は、前記連結用突起と前記連結用凹みとを係合させて、結合されるため、迅速かつ確実に結合されることができる。
【００１７】
【発明の実施の形態】
以下、図面を参照し、この発明の実施の形態について説明する。図１（ａ）〜（ｄ）はこの発明の第一の実施形態を示す図である。
図１（ａ）〜（ｄ）は、浮体構造物１０を施工する際の一工程を示すものである。図１（ｄ）において、浮体構造物１０は、上部構造物１１と、浮体基礎１２とを主な構成要素として構成され、浮体構造物１０は、貯溜部１３に浮かべられている。貯溜部１３の基礎１４は、コンクリートブロック１５と、杭１６とを主な構成要素として構成されている。
【００１８】
上記の構成からなる浮体構造物１０の施工方法においては、まず、基礎１４が施工される。基礎１４は、図１（ａ）に示すように、杭１６を地盤に打ち込み、打ち込んだ杭１６の上にコンクリートブロック１５を設置する。基礎１４を施工した後に、図１（ｂ）に示すように、基礎１４上に、浮体基礎１２を施工する。貯溜部１３に水を充填して、図１（ｃ）に示すように、浮体基礎１２を浮かべて、図１（ｄ）に示すように、上部構造物１１を施工する。
【００１９】
上記の構成によれば、貯溜部１３の基礎１４には、最大でも浮体基礎１２の荷重がかかるだけなので、貯溜部１３の基礎１４は、浮体基礎１２を支えるだけの杭を打つ等の施工をすればよく、また、地盤改良する必要がある場合が少なくなり、貯溜部１３の基礎１４の施工にかかる時間と費用を低減することができる。
【００２０】
図２、図３（ａ）、（ｂ）は、この発明の第二の実施形態を示す図である。図３（ａ）、（ｂ）は、浮体構造物５０を施工する際の一工程を示すものである。浮体構造物５０の基本構成は、図１（ｄ）に示すものと同様であり、同一構成要素には、同一符号を付し、その説明を省略する。図２において、浮体基礎１２の下部には、連結フック（連結用突起）５１と連結穴（連結用凹み）５２とが設けられている。
【００２１】
上記の構成からなる浮体構造物５０の施工方法においては、まず、基礎１４が施工される。基礎１４は、杭１６を地盤に打ち込み、打ち込んだ杭１６の上にコンクリートブロック１５を設置する。そして、貯溜部１３に水を充填して、複数の浮体構造物１２を貯溜部１３に浮かべる。浮体基礎１２は、貯溜部１２とは別の場所で施工され、トラック等で貯溜部１２に輸送される。
【００２２】
そして、図３（ａ）に示すように、一方の浮体基礎１２にバラスト５３を載せて、浮体基礎１２を沈める。次に、浮体基礎１２同士を接近させ、バラスト５３を取り除き浮体基礎１２を浮上させることにより、図３（ｂ）に示すように、連結フック５１と連結穴５２とを係合させる。そして、水面上の浮体基礎１２の接触部を溶接して、複数の浮体基礎１２は結合される。
【００２３】
複数の浮体基礎１２が結合された後に、図２に示すように、浮体基礎１２の上に上部構造物１１が施工される。
【００２４】
上記の構成によれば、浮体基礎１２は、貯溜部１３の基礎１４に直接置かれることがないため、貯溜部１３の基礎１４は、浮体構造物５０の完成後にかかる、均等な水圧を支えられるだけの杭を打つ等の施工をすればよくなり、また、地盤改良が必要となる場合が少なくなり、貯溜部１３の基礎１４の施工にかかる時間と費用を低減することができる。
【００２５】
また、浮体基礎１２の下部に、連結フック５１と連結穴５２とを設けて、浮体基礎１２の結合時に一方の浮体基礎１２を沈めて、連結フック５１と連結穴５２とを係合させるため、浮体基礎１２の結合作業が、より迅速・確実に行うことができ、浮体構造物５０の施工にかかる時間と費用を低減することができる。
【００２６】
なお、上記の実施形態においては、浮体基礎１２を沈めるには、バラスト５３を用いる方法に適応して説明したが、この発明は、バラスト５３を用いる方法に限られることなく、浮体基礎１２内部に水を注入して、浮体基礎１２を沈める方法に適応することもできる。浮体基礎１２内部に水を注入する場合、浮体基礎１２同士を接近させた後、浮体基礎１２内部に注入した水を排出することで、浮体基礎１２は浮上し、連結フック５１と連結穴５２とは係合される
【００２７】
また、上記の実施形態においては、浮体基礎１２を結合する方法には、連結フック５１と連結穴５２とを用いる方法に適応して説明したが、この発明は、連結フック５１と連結穴５２とを用いる方法に限られることなく、図４に示すように、単に浮体基礎１２同士をつき合わせて、水面上の接触部を溶接する方法や、図５に示すように、浮体基礎１２に突き出し部６１を設けて、突き出し部６１同士を溶接し、内部の水を排出して、接続部の内周を溶接する方法に適応することもできる。
【００２８】
【発明の効果】
以上説明したように、請求項１に係る発明によれば、前記貯溜部の前記基礎にかかる荷重は、最大でも前記浮体基礎の荷重であるので、前記基礎の施工で使用される杭の数が少なくなり、また、地盤改良が必要となる場合が少なくなり、前記基礎の施工にかかる時間と費用を低減できるという効果を奏する。
【００２９】
請求項２に係る発明によれば、前記貯溜部の前記基礎にかかる荷重は、最大で前記浮体構造物の完成後にかかる液体の圧力による荷重であるので、前記基礎の施工で使用される杭の数がさらに少なくなり、また、地盤改良が必要となる場合がさらに少なくなり、前記基礎の施工にかかる時間と費用をさらに低減できるという効果を奏する。
【００３０】
請求項３に係る発明によれば、複数の前記浮体基礎は、前記連結用突起と前記連結用凹みとの係合により、結合されるため、複数の前記浮体基礎は、迅速かつ確実に結合され、前記浮体構造物の施工にかかる時間と費用を低減できるという効果を奏する。
【００３１】
請求項４に係る発明によれば、複数の前記浮体基礎は、前記連結用突起側の前記浮体基礎を沈め、位置を合わせて浮上させて、前記連結用凹みと係合させるため、複数の前記浮体基礎は、迅速かつ確実に結合され、前記浮体構造物の施工にかかる時間と費用を低減できるという効果を奏する。
【００３２】
請求項５に係る発明によれば、複数の前記浮体基礎は、前記連結用突起側の前記浮体基礎を沈め、位置を合わせて浮上させて、前記連結用凹みと係合させるため、複数の前記浮体基礎は、迅速かつ確実に結合され、前記浮体構造物の施工にかかる時間と費用を低減できるという効果を奏する。
【図面の簡単な説明】
【図１】本発明による浮体構造物の施工方法の一実施形態を示す模式図である。
【図２】本発明による浮体構造物の施工方法の別の実施形態を示す模式図である。
【図３】本発明による浮体基礎の接続方法の一実施形態を示す模式図である。
【図４】本発明による浮体基礎の接続方法の別の実施形態を示す模式図である。
【図５】本発明による浮体基礎の接続方法のさらに別の実施形態を示す模式図である。
【符号の説明】
１０、５０　浮体構造物
１２　浮体基礎
１１　上部構造物
１３　貯溜部
１４　基礎
５１　連結フック（連結用突起）
５２　連結穴（連結用凹み）
【図１】
2004044117.tif 000003
【図２】
2004044117.tif 000004
【図３】
2004044117.tif 000005
【図４】
2004044117.tif 000006
【図５】
2004044117.tif 000007